(57)【要約】【課題】空気調和機のエアフィルターと除塵体に付着した塵埃を、効率よく、確実に除去できるための清掃装置を提供すること。【解決手段】本体に設けられた吸込口と吹出口を結ぶ空気通路に、除塵用のエアフィルターを配置してなる空気調和機において、前記空気調和機は、除塵体Ａ及び、前記除塵体Ａに付着した塵埃を除去する除塵体Ｂを有し、前記除塵体Ａは、前記エアフィルターの表面上を移動しながら或いは、前記エアフィルター自身が移動しながら前記エアフィルターに付着した塵埃を除去するとともに、前記除塵体Ａ、及び前記除塵体Ｂが接触した時に、少なくとも前記除塵体Ａ、前記除塵体Ｂの内どちらかが回転するので、除塵体Ａにて空気調和機のエアフィルターに付着した塵埃を除去でき、且つ除塵体Ｂにて除塵体Ａに付着した塵埃を効率よく、確実に除去できる。【選択図】      図１
2007263412.tif 000002
【特許請求の範囲】
【請求項１】
本体に設けられた吸込口と吹出口を結ぶ空気通路に、除塵用のエアフィルターを配置してなる空気調和機において、前記空気調和機は、除塵体Ａ及び、前記除塵体Ａに付着した塵埃を除去する除塵体Ｂを有し、前記除塵体Ａは、前記エアフィルターの表面上を移動しながら前記エアフィルターに付着した塵埃を除去するか或いは、前記エアフィルター自身が移動しながら前記エアフィルターに付着した塵埃を除去するとともに、前記除塵体Ａと前記除塵体Ｂが接触した時に、少なくとも前記除塵体Ａ、前記除塵体Ｂの内どちらかが回転することを特徴とした、空気調和機の清掃装置。
【請求項２】
除塵体Ａが、エアフィルターの表面上を、回転しながら移動するか或いは、回転する前記除塵体Ａに対して前記エアフィルターが接触しながら移動することを特徴とする請求項１記載の空気調和機。
【請求項３】
除塵体Ａが、エアフィルターの表面上に接触しながら移動するか或いは、前記除塵体Ａに対して前記エアフィルターが接触しながら移動することを特徴とする請求項１記載の空気調和機の清掃装置。
【請求項４】
除塵体Ａが除塵体Ｂに向かって移動するか或いは、前記除塵体Ａに接触しながらエアフィルターが移動するとき、前記除塵体Ａを形成する清掃体Ａの先端が根元よりも前記清掃体Ａの進行方向に対して先行することを特徴とする、請求項１又は２記載の空気調和機の清掃装置。
【請求項５】
除塵体Ａが除塵体Ｂに向かって移動するか或いは、前記除塵体Ａに接触しながらエアフィルターが移動するとき、前記除塵体Ａを形成する清掃体Ａの先端が、前記除塵体Ｂに向かって根元よりも先行していることを特徴とする、請求項１又は３記載の空気調和機の清掃装置。
【請求項６】
請求項１〜５のうち、何れかに記載の清掃装置を有する、空気調和機。
【発明の詳細な説明】
【技術分野】
【０００１】
本発明は、エアコンディショナーや送風機、加湿器、除湿機、換気扇、あるいは空気清浄機等の空気調和機に配置されたエアフィルターの清掃装置及び、それを用いた空気調和機に関するものである。
【背景技術】
【０００２】
従来の空気調和機には、吸込口と熱交換器との間に、空気調和機本体内部への塵埃侵入を防ぐためにエアフィルターが配置されており、空気調和機の運転に伴い吸込口から空気と共に侵入する塵埃を捉える機能を有している。このため、エアフィルターには捉えた塵埃が徐々に付着するとともに、目が徐々に詰まってしまい風量を低下させてしまうので、空気調和機本体から着脱可能に構成され、定期的にエアフィルター表面を電気掃除機等で吸引したり、洗浄したりしなければならなかった。
【０００３】
これに対し、エアフィルターの上流側表面に沿って移動することができる吸引口を有する吸引ノズルと、この吸引ノズルに連結された吸引装置を空気調和機本体に設けて、吸引口からエアフィルター表面に付着した塵埃を吸引することで、エアフィルターを取り外すことなくエアフィルターの自動清掃が行える構造が考案されている（例えば、特許文献１参照）。
【０００４】
また、空気調和機本体内に、エアフィルターを本体キャビネットの内外に向けて、往復的に移動させるスライド手段と、エアフィルターの移動経路に沿ってエアフィルターと接触するように配置されたエアフィルター清掃部を設けて、エアフィルター清掃部内に設けられた清掃ブラシでエアフィルターを両側から挟みこむような構造とし、エアフィルターをスライドさせることによって清掃ブラシでエアフィルター両面を清掃することができ、且つ、エアフィルター清掃部内に溜まった塵埃を、エアフィルター清掃部を開閉させることで簡単に回収できる、という構造も考案されている（例えば、特許文献２参照）。
【０００５】
また、フィルターのメンテナンスの手間を低減する目的で、駆動軸に張架したベルト上のエアフィルターと、前記エアフィルターの表面に接する回転ブラシを設け、前記駆動軸を回転させてエアフィルターを移動させながら、その表面に堆積した塵埃を書回転ブラシを回転させて掻きとるようにした空気調和機がある（例えば、特許文献３参照）。
【特許文献１】特開２００５−１４０４０５号公報
【特許文献２】特開２００４−２８４８７号公報
【特許文献３】特開平６−７４５２１号公報
【発明の開示】
【発明が解決しようとする課題】
【０００６】
しかしながら、上記特許文献１に開示されたような従来の空気調和機においては、吸引口の開閉面積を絞ることで風量を落として、吸引圧力を高めている。このような吸引ノズルで塵埃を除去しようとすると、エアフィルター表面に浮いたような状態で乗っている綿埃等は容易に吸引できるが、吸引力のみでは、エアフィルターの網目に絡んだ塵埃や、油分を含む塵埃等を、清掃ブラシのように掻き出して剥離させることはできず、エアフィルターにこびりついた塵埃を確実に除去することは非常に困難であった。
【０００７】
また、上記特許文献２に開示されたような従来の空気調和機においては、清掃ブラシでエアフィルターを挟み込んでいるため、エアフィルター両面の塵埃を同時に清掃できるが、エアフィルターの表面を一定の緩やかな速度で移動する清掃ブラシでは、エアフィルターの表面をなでるだけで、擦る効果は少なく、エアフィルター表面に浮いたような状態で乗っている綿埃等は除去できるが、エアフィルターの網目に絡んだ塵埃や、油分を含む塵埃等を擦り取るように、完全に剥離させるまで掻き出すことはできず、エアフィルターにこびりついた塵埃を確実に除去することは非常に困難であった。
【０００８】
また、除去された塵埃が清掃ブラシの繊維間に入り込み、清掃ブラシ自身が汚れてしまうという欠点を有していた。更に、清掃ブラシの繊維間に入り込んだ塵埃が、エアフィルター清掃を繰り返しているうちに、エアフィルター面へ再付着してしまうこともあり、頻繁に清掃ブラシ及び、これを含むエアフィルター清掃部を掃除しなければならないという欠点も有していた。
【０００９】
また、上記特許文献３に開示されたような従来の空気調和機においては、フィルターに堆積した塵埃を、回転ブラシで掻きとることはできても、回転ブラシに掻き取った塵埃がこびりついて、除去性能が低下するという問題を有していた。
【００１０】
本発明は、上記従来の課題を解決するためのものであり、空気調和機のエアフィルターに付着した塵埃を、効率よく、確実に除去でき、且つ、清掃体自身に付着した塵埃も除去でき、清潔で、除塵効果も低下せず、長期間に亘ってエアフィルターの目詰まりのない状態で使用することができる空気調和機の清掃装置及び、空気調和機を提供することを目的とする。
【課題を解決するための手段】
【００１１】
前記従来の課題を解決するために、本発明では、本体に設けられた吸込口と吹出口を結ぶ空気通路に、除塵用のエアフィルターを配置してなる空気調和機において、前記空気調和機は、除塵体Ａ及び、前記除塵体Ａに付着した塵埃を除去する除塵体Ｂを有し、前記除塵体Ａは、前記エアフィルターの表面上を移動しながら前記エアフィルターに付着した塵埃を除去するか或いは、前記エアフィルター自身が移動しながら前記エアフィルターに付着した塵埃を除去するとともに、前記除塵体Ａと前記除塵体Ｂが接触した時に、少なくとも前記除塵体Ａ、前記除塵体Ｂの内どちらかが回転するので、除塵体Ａにて空気調和機のエアフィルターに付着した塵埃を除去でき、且つ除塵体Ｂにて除塵体Ａに付着した塵埃を除去できる。
【００１２】
これにより、除塵体Ａに塵埃が堆積することなく、エアフィルターへの塵埃の再付着が防止できるため、エアフィルターを常に清潔で、長期間に亘って目詰まりのない状態で使用することができるため、空気調和機の性能も維持され、且つエアフィルターを取り外して塵埃の清掃を行う必要もなくなる。
【００１３】
また、本発明の空気調和機は、空気調和機本体に設けられた吸込口と吹出口を結ぶ空気通路に、除塵用のエアフィルターを配置するとともに、請求項１〜５の何れかに記載の清掃装置を有しているので、効率よく確実にエアフィルターに付着した塵埃が除去でき、更に、除塵体Ａ自身に付着した塵埃も除去できるので、本体の風量低下が非常に小さく、消費電力も抑えることができる。また、長期間に亘ってエアフィルター、除塵体Ａ及び、除塵体Ｂのメンテナンスが不要となる。
【発明の効果】
【００１４】
本発明の清掃装置は、除塵体Ａ及び、前記除塵体Ａに付着した塵埃を除去する除塵体Ｂを有し、前記除塵体Ａは、エアフィルターの表面上を移動しながら前記エアフィルターに付着した塵埃を除去するか或いは、前記エアフィルター自身が移動しながら前記エアフィルターに付着した塵埃を除去するとともに、前記除塵体Ａと前記除塵体Ｂが接触した時に、少なくとも前記除塵体Ａ、前記除塵体Ｂの内どちらかが回転するので、エアフィルターに付着した塵埃を除塵体Ａで除去し、更に、除塵体Ａに付着した塵埃を除塵体Ｂにて除去することにより、清潔で、長期間に亘ってエアフィルターの目詰まりのない状態で使用することができるため、空気調和機の性能も維持され、且つ、エアフィルターを取り外して塵埃の清掃を行う必要もなくなる。
【発明を実施するための最良の形態】
【００１５】
第１の発明は、本体に設けられた吸込口と吹出口を結ぶ空気通路に、除塵用のエアフィルターを配置してなる空気調和機において、前記空気調和機は、除塵体Ａ及び、前記除塵体Ａに付着した塵埃を除去する除塵体Ｂを有し、前記除塵体Ａは、前記エアフィルターの表面上を移動しながら或いは、前記エアフィルター自身が移動しながら前記エアフィルターに付着した塵埃を除去するとともに、前記除塵体Ａ、及び前記除塵体Ｂが接触した時に、少なくとも前記除塵体Ａ、前記除塵体Ｂの内どちらかが回転するので、除塵体Ａにて空気調和機のエアフィルターに付着した塵埃を除去でき、且つ除塵体Ｂにて除塵体Ａに付着した塵埃を除去できる。
【００１６】
第２の発明は、第１の発明の除塵体Ａが、エアフィルターの表面上を、回転しながら移動するか或いは、回転する前記除塵体Ａに対して前記エアフィルターが接触しながら移動するため、回転する除塵体Ａによって、強力にエアフィルターに付着した塵埃を掻き出して除去することができ、且つ除塵体Ｂにて除塵体Ａに付着した塵埃を除去できる。
【００１７】
第３の発明は、第１の発明において、除塵体Ａが、エアフィルターの表面上に接触しながら移動するか或いは、前記除塵体Ａに対して前記エアフィルターが接触しながら移動するため、エアフィルター表面上の塵埃を掃き集めるように除去することができ、且つ除塵体Ｂにて除塵体Ａに付着した塵埃を除去できる。
【００１８】
第４の発明は、第１又は２の発明において、除塵体Ａが除塵体Ｂに向かって移動するか或いは、前記除塵体Ａに接触しながらエアフィルターが移動するとき、前記除塵体Ａを形成する清掃体Ａの先端が根元よりも前記清掃体Ａの進行方向に対して先行するため、エアフィルター表面上の塵埃を強く引っ掻くように除去することができる。
【００１９】
第５の発明は、第１又は３の発明において、除塵体Ａが除塵体Ｂに向かって移動するか或いは、前記除塵体Ａに接触しながらエアフィルターが移動するとき、前記除塵体Ａを形成する清掃体Ａの先端が、前記除塵体Ｂに向かって根元よりも先行しているため、強い腰でエアフィルターに付着した塵埃を掻き集めることができる。
【００２０】
第６の発明は、空気調和機本体内に、第１〜５の発明の何れかの清掃装置を有しているので、除塵体Ａ、除塵体Ｂによって効率の良いエアフィルターからの除塵及び、塵埃の回収を行うことができるため、エアフィルターの目詰まりが起こらず、常に安定した風量を確保でき、運転効率も良い、空気調和機を提供することができる。
【００２１】
以下、本発明の実施の形態について、図面を参照しながら説明する。なお、この実施の形態によって本発明が限定されるものではない。
【実施例１】
【００２２】
図１は、本発明の第１の実施例における空気調和機の清掃装置を搭載した空気調和機の縦断面図、図２は、同空気調和機の清掃装置に組み込まれる除塵体Ａ７の斜視図、図３は、同空気調和機の清掃装置に組み込まれる除塵体Ａ７の部分分解拡大斜視図、図４は、同空気調和機の清掃装置に組み込まれる除塵体Ｂ８と、この除塵体Ｂ８を内装する集塵ケース９の一部を断面にした部分斜視図、図５は、同空気調和機の内部構成の概略を示す斜視図、図６は、同空気調和機の清掃装置における集塵ケース９内での集塵状態を示す断面図である。
【００２３】
図１において、空気調和機本体１は、熱交換器４と、室内の空気を取り入れる吸込口２と、熱交換器４と吸込口２の間に配され、吸込口２から流入する空気中に含まれる塵埃を捕集するエアフィルター５と、エアフィルター５の上流側に配されると共に、エアフィルター５で捕集された塵埃を除去する除塵体Ａ７と、除塵体Ａ７を回転させるための回転駆動手段（図示せず）と、除塵体Ａ７をエアフィルター５の上流側の表面に沿って上下方向に移動させる上下移動手段（図示せず）と、エアフィルター５の下端部近傍に設けられ、除塵体Ａ７に付着した塵埃を除去する為の除塵体Ｂ８を内装する集塵ケース９と、吸込口２から室内の空気を吸引し、エアフィルター５、熱交換器４を通して、吹き出し口３から、熱交換された空気を室内に吹き出す送風ファン６とを備えている。
【００２４】
次に、図２、３を用いて除塵体Ａ７の構成について説明する。
図２、３において、除塵体Ａ７は、アルミニウムなどの金属材料からなり、外周に、且つ長手方向に螺旋状に形成された溝部１０を有するロータ１１と、エアフィルター５に付着した塵埃を掻き取る清掃体Ａ１２と、清掃体Ａ１２の抜け止め用のキャップ１３から構成されている。溝部１０の断面形状は、図３に示すように略Ｔ字状になっている。
【００２５】
清掃体Ａ１２は、溝部１０に挿脱自在の基部１４ａと、基部１４ａに植設され複数の繊維などから成るブラシ部材１４ｂから構成されている。尚、ブラシ部材１４ｂは、複数の繊維などに限らず、ゴムなどの軟質材からなるブレード状のもので形成しても良い。また、清掃体Ａ１２は、単体の状態では、図3に示すように直線状になっているが、その基部１４ａを、ロータ１１の螺旋状の溝部１０に挿入することにより、清掃体Ａ１２のブラシ部材１４ｂがロータ１１の外周に螺旋状に設けられることになる。
【００２６】
次に、ロータ１１の製造、加工方法についていくつか述べる。
第１の方法は、捩り押出し金型にて、ロータ１１の材料を捩りながら押出すもので、１工程で目的の捩り角度に仕上げることができる。ただ、反り、うねりが生じやすく精度が確保しにくく、また、捩り角度が大きくなるほどこの傾向が顕著になるという難点があり、捩り角度は、３６０度程度が限界で、それ以上は実用上製品にならない。
【００２７】
第２の方法は、ロータ１１の材料を金型で捩りながら押出して、一旦目的の捩り角度より小さな角度のロータ１１を作り、このロータ１１を後加工にて、目的の捩り角度まで捩って仕上げるもので、後加工が最小限に抑えられるので、断面形状の歪も少なく、精度のよいロータ１１を製造することができる。唯一の欠点は、工程が２段階になることである。
【００２８】
第３の方法は、ロータ１１の材料をまっすぐに押出して、後加工で、目的の捩り角度まで捩って仕上げるもので、１工程（直線押出し）による製品素材の精度が非常に高く、これを元に後加工で捩るため、捩りによる歪が小さく精度のよいロータ１１を製造することができる。また、後捩り加工により、同一金型でも自由にロータ１１の捩り角度を設定することができる。欠点としては、中空素材や、大径の素材は捩り加工による断面変形が生じやすく、あまり大きな捩り角度には向かない。
【００２９】
第４の方法は、同一ライン上に捩り方向に回転する可動盤等の設備を設けて、金型で、ロータ１１の材料を押出しながら、同時に捩り加工も行い、目的の捩り角度に仕上げる製法で、捩り工程を別に設ける必要が無く、また、可動盤の回転速度で自由に捩り角度が設定できるというメリットがあるが、設備が複雑になるという欠点がある。
【００３０】
したがって、ロータ１１の製造にあたっては、ロータ１１の断面形状、材質、厚み、強度、捩り角度、必要な精度等を勘案し、製造方法、加工方法を適宜決定するようにすると良い。
【００３１】
次に、図４を用いて除塵体Ｂ８の構成について説明する。
図において、９は、除塵体Ａ７に付着した塵埃を最終的に回収する為の集塵ケースで、除塵体Ｂ８を内装している。除塵体Ｂ８は、基部１６と、この基部１６に植設され、先端が一方向に傾斜するパイル状の除塵子１７とから構成され、基部１６の背面が、集塵ケース９の内壁に接着等の方法で固着されている。除塵子１７の先端は、下方即ち反エアフィルター５側へ傾斜している。また、集塵ケース９内には、除塵体Ａ７が侵入可能な空間部１５を確保している。
【００３２】
又、本実施例では、図５に示すように空気調和機本体１内に、二分割されて配された２つのエアフィルター５のそれぞれに対向させて、除塵体Ａ７を設けている。除塵体Ｂ８を内装する集塵ケース９は、エアフィルター５の下端部近傍に配され、二分割されて配された２つのエアフィルター５を跨いだ長さとほぼ同寸の全長を有し、２本の除塵体Ａ７を一度に収容できるようになっている。
【００３３】
次に、本実施例における空気調和機の清掃装置及びそれを搭載した空気調和機の動作を説明する。
空気調和機の本体１を、例えば、冷房運転すると、送風ファン６により室内の空気が吸込口２から流入し、エアフィルター５を通って熱交換器４に至り、そこで冷却され、冷たい空気が吹き出し口３から室内に吹き出される。吸込口２から吸引される室内の空気に含まれる塵埃は、エアフィルター５で捕集され、エアフィルター５の表面に次第に堆積していく。エアフィルター５の表面に塵埃が堆積してくると、空気の通気圧損が増加し、熱交換器４での熱交換効率が低下してくるので、定期的に或いは、必要に応じて、エアフィルター５に堆積した塵埃の除去運転が必要となる。
【００３４】
塵埃の除去運転の開始に当たり、除塵体Ａ７は、エアフィルター５の下端に位置している。塵埃の除去運転を開始すると、回転駆動手段（図示せず）により除塵体Ａ７が矢印Ａの方向に回転すると共に、その回転する除塵体Ａ７が上下移動手段（図示せず）で、エアフィルター５の表面に沿って上方に移動する。この間に、清掃体Ａ１２のブラシ部材１４ｂの先端で、エアフィルター５に付着堆積した塵埃が掻き落とされる。
【００３５】
次に、上下移動手段（図示せず）により、除塵体Ａ７が、エアフィルター５の上端まで達すると、自動的に下降し、エアフィルター５の下端まで移動する。この間も上昇時と同様に、清掃体Ａ１２のブラシ部材１４ｂの先端で、エアフィルター５に付着堆積した塵埃が掻き落とされる。
【００３６】
このようにして、除塵体Ａ７によって、エアフィルター５に付着した塵埃の清掃が行われるが、この清掃動作によって清掃体Ａ１２のブラシ部材１４ｂ自身にも塵埃が付着してしまう。このような状態で除塵体Ａ７は、エアフィルター５の下端部近傍に配された集塵ケース９内へと移動する。
【００３７】
図６に示すように、集塵ケース９内の空間部１５へと移動した除塵体Ａ７は、矢印Ａの方向に回転する。この時、清掃体Ａ１２のブラシ部材１４ｂ先端が、集塵ケース９内に固着されている除塵体Ｂ８の除塵子１７に対して反エアフィルター５側からエアフィルター５側へ向かって接触する。除塵子１７は反エアフィルター５側へ傾斜しているため、ブラシ部材１４ｂに付着していた塵埃１８は、除塵子１７が傾斜している方向即ち、反エアフィルター５側へ掻き落とされ、集塵ケース９内へ回収される。
【００３８】
このようにして、集塵ケース９内でブラシ部材１４ｂに付着した塵埃１８を除去した除塵体Ａ７は、次回の塵埃の除去運転のため、再び、エアフィルター５の下端まで移動して停止する。
【００３９】
以上のように、本実施例によれば、除塵体Ａ７を構成する清掃体Ａ１２のブラシ部材１４ｂが、除塵体Ｂ８の除塵子１７に接触したときに、除塵体Ａ７が回転するので、ブラシ部材１４ｂに付着した塵埃を、除塵体Ｂ８の除塵子１７によって除去することができる。従って、除塵体Ａ７を常に清潔な状態に維持でき、エアフィルター５への塵埃の再付着を防止できる。
【００４０】
また、除塵体Ａ７は、回転しながらエアフィルター５に接触しながら移動するため、回転する除塵体Ａ７によって、強力にエアフィルター５に付着した塵埃を掻き出して除去することができる。
【００４１】
また、本実施例では図示しないが、除塵体Ａ７が上下移動せずに、エアフィルター５自身が回転する除塵体Ａ７のブラシ部材１４ｂ先端に接触しながら移動して、エアフィルター５に付着した塵埃を除去する構造にしてもよい。
【００４２】
また、本発明の清掃装置を空気調和機本体内に設けることにより、エアフィルター５の目詰まりが起こらず、常に安定した風量を確保でき、運転効率も良いので、性能も維持されて空気調和機本体の消費電力も節約できる。且つ、エアフィルター５を取り外して塵埃の清掃を行う必要もなくなり、定期的に集塵ケース９のみを取り外して溜まった塵埃を捨てるだけでよいので、メンテナンスの頻度が大幅に低減できる。
【００４３】
また、集塵ケース９内に溜まった塵埃を別途吸引装置（図示せず）を設けて吸引し、本体外へ排出することも可能である。
【００４４】
また、上記においては、除塵体Ｂ８における除塵子１７を植設されたパイルで説明しているが、材質はこれに限定するものではなく、軟質合成樹脂、硬質合成樹脂、金属等適宜選択できる。除塵子１７の形態についても同様、針状、フィン状等適宜選択することができる。
【実施例２】
【００４５】
次に、本発明の第２の実施例について、図７〜８にて説明する。なお、上記第１の実施例と同一部分について、同一符号を付してその説明を省略する。
【００４６】
図７は、本発明の第２の実施例における空気調和機の清掃装置を搭載した空気調和機の縦断面図、図８は、同空気調和機の清掃装置における集塵ケース９内での集塵状態を示す断面図である。
【００４７】
本実施例の空気調和機本体２０における清掃装置は、エアフィルター５の上流側に配されると共に、エアフィルター５で捕集された塵埃を除去する除塵体Ａ２１と、除塵体Ａ２１をエアフィルター５の上流側の表面に沿って上下方向に移動させる上下移動手段（図示せず）と、エアフィルター５の下端部近傍に設けられ、除塵体Ａ２１に付着した塵埃を除去する為の除塵体Ｂ２２を内装する集塵ケース２３を備えるとともに、除塵体Ｂ２２を回転させるための回転駆動手段（図示せず）を有している。
【００４８】
除塵体Ａ２１は、基部２４と、この基部２４に植設され、先端が一方向に傾斜するパイル状の除塵子２５とから構成される清掃体Ａ３１の、基部２４の背面を、合成樹脂や金属で作られ、エアフィルター５の長手方向の距離とほぼ同じ長さに直線状に形成されるベース３０に、接着等の方法で固着して形成し、除塵子２５を均一にエアフィルター５に当接させている。この時、除塵子２５の先端は、下方へ傾斜している。
【００４９】
２３は、除塵体Ａ２１に付着した塵埃を最終的に回収する為の集塵ケースで、除塵体Ｂ２２を内装している。除塵体Ｂ２２は、アルミニウムなどの金属材料からなるロータ２６と、このロータ２６に挿入固定される、エアフィルター５に付着した塵埃を掻き取るための清掃体２７を有している。
【００５０】
清掃体２７は、基部２８ａと、基部２８ａに植設され複数の繊維などから成るブラシ部材２８ｂから構成されている。尚、ブラシ部材２８ｂは、複数の繊維などに限らず、ゴムなどの軟質材からなるブレード状のもので形成しても良い。また、清掃体２７は、基部２８ａを、ロータ２６に挿入固定されて、ブラシ部材２８ｂがロータ２６の外周に螺旋状に設けられている。また、集塵ケース２３内には、除塵体Ａ２１が侵入可能な空間部２９を確保している。
【００５１】
上記においては、除塵体２１Ａにおける清掃体Ａ３１の除塵子２５を植設されたパイルで説明しているが、材質はこれに限定するものではなく、軟質合成樹脂等適宜選択できる。除塵子２５の形態についても同様、針状、フィン状等適宜選択することができる。
【００５２】
塵埃の除去運転の開始に当たり、除塵体Ａ２１は、エアフィルター５の下端近傍に位置している。塵埃の除去運転を開始すると、除塵体Ａ２１が上下移動手段（図示せず）で、エアフィルター５の表面に沿って上方に移動する。この間、除塵子２５の先端はエアフィルター５に接触していない。
【００５３】
次に、上下移動手段（図示せず）により、除塵体Ａ２１がエアフィルター５の上端まで達すると、除塵体Ａ２１は同じく上下移動手段によって、エアフィルター５の表面に沿って下方に移動する。この時、除塵体Ａ２１を構成する清掃体Ａ３１の除塵子２５の先端はエアフィルター５の表面に接触しながら下方に移動するため、エアフィルター５の表面に付着した塵埃は除塵子２５に集められる。
【００５４】
上記のようにエアフィルター５の表面上を除塵体Ａ２１が下方に移動する際には、除塵体Ａ２１を構成する清掃体Ａ３１の除塵子２５は、その先端が進行方向（除塵体Ｂ２２側）に向かって根元より先行してエアフィルター５の表面に当接するので、エアフィルター５に対して強く引っ掻くような作用が生じ、表面にこびりついた塵埃も容易に除去しながら掻き集めることができる。
【００５５】
本実施例では、除塵体Ａ２１がエアフィルター５の表面に沿って上方に移動する際、除塵子２５の先端は進行方向に対して根元より後行するため、エアフィルター５に接触しない状態で説明しているが、滑らかに接触して磨き効果等を狙う場合は上方に移動する際にも除塵子２５を接触させてもよい。
【００５６】
また、本実施例では図示しないが、除塵体Ａ２１が上下移動せずに、エアフィルター５自身が除塵体Ａ２１を構成する清掃体Ａ３１の除塵子２５の先端に接触しながら移動して、エアフィルター５に付着した塵埃を除去する構造にしてもよい。
【００５７】
このようにして、除塵体Ａ２１によって、エアフィルター５に付着した塵埃が掻き集められ、除塵体Ａ２１を構成する清掃体Ａ３１の除塵子２５に塵埃が付着する。このような状態で除塵体Ａ２１は、エアフィルター５の下端部近傍に配された集塵ケース２３内へと移動する。
【００５８】
次に、除塵体Ａ２１に付着した塵埃の清掃工程について図８を用いて説明する。
図に示すように、集塵ケース２３内の空間部２９へと移動した除塵体Ａ２１は、清掃体Ａ３１の除塵子２５が、集塵ケース２３に内装された除塵体Ｂ２２を構成する清掃体２７のブラシ部材２８ｂの先端に接触し、除塵体Ｂ２２が回転駆動手段（図示せず）により矢印Ｂの方向に回転する。
【００５９】
この時、清掃体２７のブラシ部材２８ｂ先端が、除塵体Ａ２１を構成する清掃体Ａ３１の除塵子２５に対してエアフィルター５側から反エアフィルター５側へ向かって接触する。除塵子２５は反エアフィルター５側へ傾斜しているため、除塵子２５に付着していた塵埃１８は、除塵子２５が傾斜している方向即ち、反エアフィルター５側へ掻き落とされ、集塵ケース２３内へ回収される。
【００６０】
このようにして、集塵ケース２３内で除塵子２５に付着した塵埃１８を除去された除塵体Ａ２１は、次回の塵埃の除去運転のため、再び、エアフィルター５の下端まで移動して停止する。
【００６１】
以上のように、本実施例によれば、除塵体Ａ２１を構成する清掃体Ａ３１の除塵子２５が、除塵体Ｂ２２を構成する清掃体２７のブラシ部材２８ｂ先端に接触したときに、除塵体Ｂ２２が回転するので、除塵体Ａ２１を構成する清掃体Ａ３１の除塵子２５に付着した塵埃を、除塵体Ｂ２２を構成する清掃体２７のブラシ部材２８ｂによって除去することができる。従って、除塵体Ａ２１を常に清潔な状態に維持でき、エアフィルター５への塵埃の再付着を防止できる。
【００６２】
また、除塵体Ａ２１が除塵体Ｂ２２に向かって、清掃体Ａ３１の除塵子２５の先端がエアフィルター５の表面に接触しながら移動するとき、除塵体Ａ２１を構成する清掃体Ａ３１の除塵子２５先端が、除塵体Ｂ２２に向かって根元よりも先行しているため、強い腰でエアフィルター５に付着した塵埃を掻き集めることができる。
【００６３】
また、本実施例では図示しないが、除塵体Ａ２１が上下移動せずに、エアフィルター５自身が静止している除塵体Ａ２１を構成する清掃体Ａ３１の除塵子２５先端に接触しながら移動して、エアフィルター５に付着した塵埃を除去する構造にしてもよい。
【００６４】
また、本発明の清掃装置を空気調和機本体内に設けることにより、エアフィルター５の目詰まりが起こらず、常に安定した風量を確保でき、運転効率も良いので、性能も維持されて空気調和機本体の消費電力も節約できる。且つ、エアフィルター５を取り外して塵埃の清掃を行う必要もなくなり、定期的に集塵ケース２３のみを取り外して溜まった塵埃を捨てるだけでよいので、メンテナンスの頻度が大幅に低減できる。
【００６５】
また、集塵ケース２３内に溜まった塵埃を別途吸引装置（図示せず）を設けて吸引し、本体外へ排出することも可能である。
【実施例３】
【００６６】
次に、本発明の第３の実施例について、図９〜１１にて説明する。なお、上記第１の実施例と同一部分について、同一符号を付してその説明を省略する。
【００６７】
図９は、本発明の第３の実施例における空気調和機の清掃装置を搭載した空気調和機の縦断面図、図１０は、同空気調和機の清掃装置に組み込まれる除塵体Ａ３２の部分斜視図、図１１は、同空気調和機の清掃装置における集塵ケース３５内での集塵状態を示す断面図である。
【００６８】
本実施例の空気調和機本体３４における清掃装置は、エアフィルター５の上流側に配されると共に、エアフィルター５で捕集された塵埃を除去する除塵体Ａ３２と、除塵体Ａ３２を回転させるための回転駆動手段（図示せず）と、除塵体Ａ３２をエアフィルター５の上流側の表面に沿って上下方向に移動させる上下移動手段（図示せず）と、エアフィルター５の下端部近傍に設けられ、除塵体Ａ３２に付着した塵埃を除去する為の除塵体Ｂ３３を内装する集塵ケース３５を備えるとともに、除塵体Ｂ３３を回転させるための回転駆動手段（図示せず）を有している。
【００６９】
除塵体Ａ３２は、基部３６と、この基部３６に植設され、先端が一方向に傾斜するパイル状の除塵子３７とから構成される清掃体Ａ３８の、基部３６の背面を、合成樹脂や金属で作られ、エアフィルター５の長手方向の距離とほぼ同じ長さに円筒状に形成されるロータ３９の外周全面に、接着等の方法で巻き付け固着して形成し、除塵子３７の先端をエアフィルター５に当接させている。この時、除塵子３７の先端は、清掃体Ａ３８の進行方向即ち、矢印Ｃの方向に対して、根元より先行している。
【００７０】
３５は、除塵体Ａ３２に付着した塵埃を最終的に回収する為の集塵ケースで、除塵体Ｂ３３を内装している。除塵体Ｂ３３は、基部４０と、この基部４０に植設され、先端が一方向に傾斜するパイル状の除塵子４１とから構成される清掃体４２の、基部４０の背面を、合成樹脂や金属で作られ、エアフィルター５の長手方向の距離とほぼ同じ長さに円筒状に形成されるロータ４３の外周全面に、接着等の方法で巻き付け固着して形成している。この時、除塵子４１の先端は、清掃体４２の進行方向即ち、矢印Ｄの方向に対して、根元より先行している。また、集塵ケース３５内には、除塵体Ａ３２が侵入可能な空間部４４を確保している。
【００７１】
上記においては、除塵体Ａ３２における清掃体Ａ３８の除塵子３７を植設されたパイルで説明しているが、材質はこれに限定するものではなく、軟質合成樹脂等適宜選択できる。除塵子３７の形態についても同様、針状、フィン状等適宜選択することができる。
【００７２】
同様に、除塵体Ｂ３３における清掃体４２の除塵子４１についても、植設されたパイルで説明しているが、材質はこれに限定するものではなく、軟質合成樹脂、硬質合成樹脂、金属等適宜選択できる。除塵子４１の形態についても同様、針状、フィン状等適宜選択することができる。
【００７３】
塵埃の除去運転の開始に当たり、除塵体Ａ３２は、エアフィルター５の下端に位置している。塵埃の除去運転を開始すると、回転駆動手段（図示せず）により除塵体Ａ３２が矢印Ｃの方向に回転すると共に、その回転する除塵体Ａ３２が上下移動手段（図示せず）で、エアフィルター５の表面に沿って上方に移動する。この間に、除塵体Ａ３２を構成する清掃体Ａ３８の除塵子３７の先端で、エアフィルター５に付着堆積した塵埃が掻き取られる。
【００７４】
次に、上下移動手段（図示せず）により、除塵体Ａ３２が、エアフィルター５の上端まで達すると、自動的に下降し、エアフィルター５の下端まで移動する。この間も上昇時と同様に、清掃体Ａ３８の除塵子３７の先端で、エアフィルター５に付着堆積した塵埃が掻き取られる。
【００７５】
このようにして、除塵体Ａ３２によって、エアフィルター５に付着した塵埃の清掃が行われ、この清掃動作によって清掃体Ａ３８の除塵子３７に塵埃が付着する。このような状態で除塵体Ａ３２は、エアフィルター５の下端部近傍に配された集塵ケース３５内へと移動する。
【００７６】
図１１に示すように、集塵ケース３５内の空間部４４へと移動した除塵体Ａ３２を構成する清掃体Ａ３８の除塵子３７先端が、集塵ケース３５に内装されている除塵体Ｂ３３を構成する清掃体４２の除塵子４１に接触する。この状態で、除塵体Ａ３２は矢印Ｃの方向へ回転するとともに、除塵体Ｂ３３は、矢印Ｄの方向へ回転する。この時、除塵体Ａ３２の外周面即ち、除塵子３７先端の周速は、除塵体Ｂ３３の外周面即ち、除塵子４１先端の周速より遅く回転している。
【００７７】
除塵体Ａ３２における清掃体Ａ３８の除塵子３７は、先端が、清掃体Ａ３８の進行方向即ち、矢印Ｃの方向に対して、根元より先行している。除塵体Ｂ３３における清掃体４２の除塵子４１は、先端が、清掃体４２の進行方向即ち、矢印Ｄの方向に対して、根元より先行している。
【００７８】
このように構成した除塵体Ａ３２と除塵体Ｂ３３が回転することにより、除塵体Ａ３２を構成する清掃体Ａ３８の除塵子３７に付着した塵埃１８は、より周速の速い除塵体Ｂ３３を構成する清掃体４２の除塵子４１によって掻き落とされ、反エアフィルター５側即ち、集塵ケース３５の下方へ回収される。
【００７９】
このようにして、集塵ケース３５内で除塵子３７に付着した塵埃１８を除去した除塵体Ａ３２は、次回の塵埃の除去運転のため、再び、エアフィルター５の下端まで移動して停止する。
【００８０】
以上のように、本実施例によれば、除塵体Ａ３２を構成する清掃体Ａ３８の除塵子３７が、除塵体Ｂ３３を構成する清掃体４２の除塵子４１に接触したときに、除塵体Ａ３２、除塵体Ｂ３３の両者が回転するので、除塵子３７に付着した塵埃１８を、除塵体Ｂ３３構成する清掃体４２の除塵子４１によって除去することができる。従って、除塵体Ａ３２を常に清潔な状態に維持でき、エアフィルター５への塵埃の再付着を防止できる。
【００８１】
また、除塵体Ａ３２は、除塵子３７の先端が根元より先行して、回転しながらエアフィルター５に接触し移動するため、回転する除塵体Ａ３２によって、強力にエアフィルター５に付着した塵埃を掻き出して除去することができる。
【００８２】
また、本実施例では図示しないが、除塵体Ａ３２が上下移動せずに、エアフィルター５自身が回転する除塵体Ａ３２を構成する清掃体Ａ３８の除塵子３７の先端に接触しながら移動して、エアフィルター５に付着した塵埃を除去する構造にしてもよい。
【００８３】
また、本発明の清掃装置を空気調和機本体内に設けることにより、エアフィルター５の目詰まりが起こらず、常に安定した風量を確保でき、運転効率も良いので、性能も維持されて空気調和機本体の消費電力も節約できる。且つ、エアフィルター５を取り外して塵埃の清掃を行う必要もなくなり、定期的に集塵ケース３５のみを取り外して溜まった塵埃を捨てるだけでよいので、メンテナンスの頻度が大幅に低減できる。
【００８４】
また、集塵ケース３５内に溜まった塵埃を別途吸引装置（図示せず）を設けて吸引し、本体外へ排出することも可能である。
【００８５】
また、本実施例において、集塵ケース内における塵埃除去工程での除塵体Ａ、除塵体Ｂの組み合わせとして、図１２、図１３に示すような構成でも本発明の効果は得られるものである。
【００８６】
図１２は、本発明のその他の実施例における空気調和機の清掃装置における集塵ケース４５内での集塵状態を示す断面図、図１３は、本発明のその他の実施例における空気調和機の清掃装置における集塵ケース４６内での集塵状態を示す断面図である。
【００８７】
図１２において、除塵体Ａ４７は、基部４８と、この基部４８に直立に植設されるパイル状の除塵子４９とから構成される清掃体Ａ５０の、基部４８の背面を、合成樹脂や金属で作られ、エアフィルター５の長手方向の距離とほぼ同じ長さに直線状に形成されるベース５１に、接着等の方法で固着して形成している。
【００８８】
除塵体Ｂ３３が矢印Ｅ方向に回転すると、除塵体Ａ４７を構成する清掃体Ａ５０の除塵子４９に付着している塵埃１８が、除塵体Ｂ３３の除塵子４１にて掻き出されて、集塵ケース４５内へ回収される。
【００８９】
図１３において、除塵体Ｂ５２は、基部５３と、この基部５３に直立に植設されるパイル状の除塵子５４とから構成される清掃体５５の、基部５３の背面を、合成樹脂や金属で作られ、エアフィルター５の長手方向の距離とほぼ同じ長さに直線状に形成されるベース５６に、接着等の方法で固着して形成している。
【００９０】
除塵体Ａ３２が矢印Ｆ方向に回転すると、除塵体Ａ３２を構成する清掃体Ａ３８の除塵子３７に付着している塵埃１８が、除塵体Ｂ５２の除塵子５４にて掻き出されて、集塵ケース４６内へ回収される。
【産業上の利用可能性】
【００９１】
以上のように、本発明にかかる空気調和機の清掃装置、及び空気調和機は、エアフィルターの清掃装置として優れた性能を有し、エアコンディショナーや空気清浄機は勿論、エアフィルターを有する機器であれば、そのエアフィルターの清掃装置にも適用できるものである。
【図面の簡単な説明】
【００９２】
【図１】本発明の第１の実施例における空気調和機の清掃装置を搭載した空気調和機の縦断面図
【図２】同空気調和機の清掃装置に組み込まれる除塵体Ａ７の斜視図
【図３】同空気調和機の清掃装置に組み込まれる除塵体Ａ７の部分分解拡大斜視図
【図４】同空気調和機の清掃装置に組み込まれる除塵体Ｂ８と、この除塵体Ｂ８を内装する集塵ケース９の一部を断面にした部分斜視図
【図５】同空気調和機の内部構成の概略を示す斜視図
【図６】同空気調和機の清掃装置における集塵ケース９内での集塵状態を示す断面図
【図７】本発明の第２の実施例における空気調和機の清掃装置を搭載した空気調和機の縦断面図
【図８】同空気調和機の清掃装置における集塵ケース９内での集塵状態を示す断面図
【図９】本発明の第３の実施例における空気調和機の清掃装置を搭載した空気調和機の縦断面図
【図１０】同空気調和機の清掃装置に組み込まれる除塵体Ａ３２の部分斜視図
【図１１】同空気調和機の清掃装置における集塵ケース３５内での集塵状態を示す断面図
【図１２】本発明のその他の実施例における空気調和機の清掃装置における集塵ケース４５内での集塵状態を示す断面図
【図１３】本発明のその他の実施例における空気調和機の清掃装置における集塵ケース４６内での集塵状態を示す断面図
【符号の説明】
【００９３】
１、２０、３４    空気調和機本体
２    吸込口
３    吹出口
４    熱交換器
５    エアフィルター
６    送風ファン
７、２１、３２、４７    除塵体Ａ
８、２２、３３、５２    除塵体Ｂ
９、２３、３５、４５、４６    集塵ケース
１２、３１、３８、５０    清掃体Ａ
１４ｂ、２８ｂ    ブラシ部材
１５、２９、４４    空間部
１７、２５、３７、４１、４９、５４    除塵子
１８    塵埃
２７、４２、５５    清掃体
【図１】
2007263412.tif 000003
【図２】
2007263412.tif 000004
【図３】
2007263412.tif 000005
【図４】
2007263412.tif 000006
【図５】
2007263412.tif 000007
【図６】
2007263412.tif 000008
【図７】
2007263412.tif 000009
【図８】
2007263412.tif 000010
【図９】
2007263412.tif 000011
【図１０】
2007263412.tif 000012
【図１１】
2007263412.tif 000013
【図１２】
2007263412.tif 000014
【図１３】
2007263412.tif 000015